(57)【特許請求の範囲】
【請求項１】
引き出し側剥離シートと巻き取り側剥離シートとが継ぎ部において継ぎ合わされた剥離シートの表面に複数のラベルが所定の配置で仮着されたラベル連続体であって、
前記引き出し側剥離シートの継ぎ部における後端縁の近傍の裏面が前記巻き取り側剥離シートの継ぎ部における前端縁の近傍の表面に前記剥離シートの幅方向の一端より他端に亘って重ねられ、且つ、
連結シートが前記引き出し側剥離シートの裏面および前記巻き取り側剥離シートの裏面に亘って接着されて前記継ぎ部が形成されることによって、前記引き出し側剥離シートと前記巻き取り側剥離シートとが連結され、
前記引き出し側剥離シートの継ぎ部と前記巻き取り側剥離シートの継ぎ部に跨って前記剥離シートの表面に前記ラベルの１つが仮着された、ラベル連続体。
【請求項２】
前記連結シートが、前記引き出し側剥離シートの裏面であって前記巻き取り側剥離シートの継ぎ部における前端縁からその前方において接着され、且つ、前記巻き取り側剥離シートの裏面であって前記巻き取り側剥離シートの継ぎ部における前端縁からその後方において接着されて、
前記引き出し側剥離シートと前記巻き取り側剥離シートとが連結された、請求項１に記載のラベル連続体。
【請求項３】
引き出し側剥離シートと巻き取り側剥離シートとが継ぎ部において継ぎ合わされた剥離シートの表面に複数のラベルが所定の配置で仮着されたラベル連続体の継ぎ方法であって、
前記引き出し側剥離シートにおける継ぎ部の後端縁と前記巻き取り側剥離シートにおける継ぎ部の前端縁とを形成するために、前記巻き取り側剥離シートと前記引き出し側剥離シートとを幅方向における一端より他端に亘ってそれぞれを切断する切断ステップと、
前記引き出し側剥離シートの継ぎ部における後端縁の近傍の裏面を前記巻き取り側剥離シートの継ぎ部における前端縁の近傍の表面に、幅方向の一端より他端に亘って重ねる重合ステップと、
連結シートを、前記引き出し側剥離シートの裏面であって前記巻き取り側剥離シートの継ぎ部の前端縁からその前方に接着し、且つ、前記巻き取り側剥離シートの裏面であって前記巻き取り側剥離シートの継ぎ部の前端縁からその後方に接着し、前記引き出し側剥離シートと前記巻き取り側剥離シートとを連結する連結ステップと、
前記引き出し側剥離シートの継ぎ部と前記巻き取り側剥離シートの継ぎ部に跨って前記剥離シートの表面に前記ラベルの１つを仮着させる仮着ステップとを含む、ラベル連続体の継ぎ方法。
【発明の詳細な説明】
【０００１】
【発明の属する技術分野】
この発明は、ラベル連続体およびその継ぎ方法に関して、特に、例えば、継ぎ合わされた剥離シートにラベルが仮着されたラベル連続体およびその継ぎ方法に関する
【０００２】
【従来の技術】
従来、例えば、特開２００３−５４７９２号公報に開示された接合方法およびその装置に見られるように、ラベル連続体の継ぎ構造およびその方法について、種々提案がなされている。
【０００３】
【特許文献１】
特開２００３−５４７９２号公報
【０００４】
【発明が解決しようとする課題】
ところが、例えば、図１０および図１１に示すように、剥離シート１の後端縁とそれに継ぐ剥離シート３の前端縁とを隙間のないように密接させ、剥離シート１および剥離シート３のそれぞれの裏面に亘って、接着テープ５を貼り付け、剥離シート１と剥離シート３を継いだ場合、継がれたラベル連続体をフルオートラベラー等のラベル貼付機に装着し、ラベルを被貼着体に貼り付けようとすると、剥離シート１および剥離シート３との該継ぎ目が剥離プレートの先端部分を通過する際に、剥離シート１側にラベル連続体が引き出されるとすると、剥離シート１に継がれた剥離シート３の前端部分において、剥離シート３が層間破れを起こし、剥離シート１と剥離シート３の継ぎ目部分で切れてしまうという問題が発生しやすい。
【０００５】
それゆえに、この発明の主たる目的は、ラベル連続体の継ぎ目部分において、切れてしまうことのないラベル連続体と、そのようなラベル連続体を得るためのラベル連続体の継ぎ方法を提供することである。
【０００６】
【課題を解決するための手段】
この発明の請求項１にかかるラベル連続体は、引き出し側剥離シートと巻き取り側剥離シートとが継ぎ部において継ぎ合わされた剥離シートの表面に複数のラベルが所定の配置で仮着されたラベル連続体であって、引き出し側剥離シートの継ぎ部における後端縁の近傍の裏面が巻き取り側剥離シートの継ぎ部における前端縁の近傍の表面に剥離シートの幅方向の一端より他端に亘って重ねられ、且つ、連結シートが引き出し側剥離シートの裏面および巻き取り側剥離シートの裏面に亘って接着されて継ぎ部が形成されることによって、引き出し側剥離シートと前記巻き取り側剥離シートとが連結され、引き出し側剥離シートの継ぎ部と巻き取り側剥離シートの継ぎ部に跨って剥離シートの表面にラベルの１つが仮着された、ラベル連続体である。
この発明の請求項２にかかるラベル連続体は、連結シートが、引き出し側剥離シートの裏面であって巻き取り側剥離シートの継ぎ部における前端縁からその前方において接着され、且つ、巻き取り側剥離シートの裏面であって巻き取り側剥離シートの継ぎ部における前端縁からその後方において接着されて、引き出し側剥離シートと巻き取り側剥離シートとが連結された、請求項１に記載のラベル連続体である。
この発明の請求項３にかかるラベル連続体の継ぎ方法は、引き出し側剥離シートと巻き取り側剥離シートとが継ぎ部において継ぎ合わされた剥離シートの表面に複数のラベルが所定の配置で仮着されたラベル連続体の継ぎ方法であって、引き出し側剥離シートにおける継ぎ部の後端縁と巻き取り側剥離シートにおける継ぎ部の前端縁とを形成するために、巻き取り側剥離シートと引き出し側剥離シートとを幅方向における一端より他端に亘ってそれぞれを切断する切断ステップと、引き出し側剥離シートの継ぎ部における後端縁の近傍の裏面を巻き取り側剥離シートの継ぎ部における前端縁の近傍の表面に、幅方向の一端より他端に亘って重ねる重合ステップと、連結シートを、引き出し側剥離シートの裏面であって巻き取り側剥離シートの継ぎ部の前端縁からその前方に接着し、且つ、巻き取り側剥離シートの裏面であって巻き取り側剥離シートの継ぎ部の前端縁からその後方に接着し、引き出し側剥離シートと巻き取り側剥離シートとを連結する連結ステップと、引き出し側剥離シートの継ぎ部と巻き取り側剥離シートの継ぎ部に跨って剥離シートの表面にラベルの１つを仮着させる仮着ステップとを含む、ラベル連続体の継ぎ方法である。
【０００７】
【発明の効果】
この発明によれば、引き出し側剥離シートの裏面が、その継ぎ部後端縁近傍において、巻き取り側剥離シートの継ぎ部前端縁近傍の表面に重ねられ、連結シートをその裏面に接着することにより、引き出し側剥離シートとそれに継ぐ巻き取り側剥離シートが連結されるのでラベル連続体を構成するラベルをラベル貼付機で貼り付けするときにおいて、例えば剥離プレートによって剥離シートからラベルが剥離される際、剥離プレートにかかった剥離シートのうち、引き出し側剥離シートの継ぎ部後端縁近傍部分が、それに継がれている巻き取り側剥離シートの継ぎ部前端縁近傍の表面を覆い押さえており、そして、引き出し側剥離シートの継ぎ部後端近傍で覆われた巻き取り側剥離シートの継ぎ部前端近傍にはラベルは直接仮着されない。したがって、巻き取り側剥離シートの継ぎ部前端縁にラベルが剥されるときの剥離力が働きにくく、このため巻き取り側剥離シートの継ぎ部前端縁が層間剥離を起こしにくく、その結果、剥離プレートの先端を通過するときに巻き取り側剥離シートの先端が破れて切れてしまうことが少なくなり、例えば、フルオートラベラーによるラベルの貼り付け作業を効率的に行うことができる。
【０００８】
この発明の上述の目的，その他の目的，特徴および利点は、図面を参照して行う以下の発明の実施の形態の詳細な説明から一層明らかとなろう。
【０００９】
【発明の実施の形態】
図１は、この発明の一実施の形態であるラベル連続体の斜視図解図である。図２は、図１図示ラベル連続体の剥離シートの一部を断面とした図解図である。
このラベル連続体１０は、複数枚のラベル１２が、剥離シート１４の表面の剥離処理面１４ａに適宜な間隔をおいて、複数枚連続して仮着されてなる。
剥離シート１４は、連結シート１６で継がれて連続しており、ラベル連続体１０は、剥離シート１４の後端側が巻き取られる側であって、最後端において巻心１８に連結され、巻心１８の表面に巻回され、ラベル１２の物品等への貼着時には、引き出し側である先端をラベル貼付機の走行系で引っ張ることによって巻き戻される巻状体として構成されている。
【００１０】
剥離シート１４は、巻心１８に連結されて巻き取られる側の巻き取り側剥離シート２０と、該巻き取り側剥離シート２０の引き出し側に連結され、ラベル１２が貼着されるときに引き出される側の引き出し側剥離シート２２とによって構成されている。
この引き出し側剥離シート２２は、その表面の剥離処理面１４ａとは反対側の面（すなわち裏面）が、引き出し側剥離シート２２の継ぐ部位である継ぎ部２６の継ぎ部後端縁２６ａの近傍において、巻き取り側剥離シート２０の継ぐ部位である継ぎ部２４の継ぎ部前端縁２４ａ近傍の表面（すなわち剥離処理面１４ａ）に重ねられている。
すなわち、引き出し側剥離シート２２の継ぎ部２６裏面であって、該引き出し側剥離シートの継ぎ部後端縁２６ａ近傍が、巻き取り側剥離シート２０の継ぎ部２４の表面であって、該巻き取り側剥離シートの継ぎ部前端縁２４ａ近傍に重ねられている。
【００１１】
この引き出し側剥離シート２２は、その継ぎ部後端縁２６ａ近傍の裏面が、その幅方向における一端より他端の全体に亘って、巻き取り側剥離シートの継ぎ部前端縁２４ａ近傍の幅方向における一端より他端の全体に亘る巻き取り側剥離シート２０の表面に重ねられ、引き出し側剥離シート２２と巻き取り側剥離シート２０とが重ねられた重層部分（引き出し側剥離シートの継ぎ部後端縁２６ａから巻き取り側剥離シートの継ぎ部前端縁２４ａに至る部分）は、ほぼ同一の幅をもって形成されている。
巻き取り側剥離シート２０の継ぎ部２４と引き出し側剥離シート２２の継ぎ部２６とにおいて重なり合う部分は、あまり広くならないように、例えば、１ないし２ｍｍの幅をもって形成されている。
【００１２】
引き出し側剥離シートの継ぎ部後端縁２６ａおよび巻き取り側剥離シートの継ぎ部前端縁２４ａは、引き出し側剥離シート２２の両端縁（すなわち、右端縁３０ａおよび左端縁３０ｂ）と巻き取り側剥離シート２０の両端縁（すなわち、右端縁２８ａおよび左端縁２８ｂ）と斜交するように形成され、引き出し側剥離シート２２の継ぎ部２６と巻き取り側剥離シート２０の継ぎ部２４とはほぼ平行となるように形成されている。
【００１３】
引き出し側剥離シートの継ぎ部後端縁２６ａが巻き取り側剥離シートの継ぎ部前端縁２４ａより後方に位置するように、引き出し側剥離シート２２の継ぎ部２６と巻き取り側剥離シート２０の継ぎ部２４とが重なり合うとともに、引き出し側剥離シート２２の両端縁（右端縁３０ａおよび左端縁３０ｂ）と巻き取り側剥離シート２０の両端縁（右端縁２８ａおよび左端縁２８ｂ）とは、直線状に連続するように、巻き取り側剥離シート２０と引き出し側剥離シート２２とが連結されている。
すなわち、引き出し側剥離シート２２の右端縁３０ａと引き出し側剥離シート２２の左端縁３０ｂとは、平行になるように形成され、且つ、巻き取り側剥離シート２０の右端縁２８ａと巻き取り側剥離シート２０の左端縁２８ｂとは、平行になるように形成されるとともに、巻き取り側剥離シート２０の継ぎ部２４と引き出し側剥離シート２２の継ぎ部２６および巻き取り側剥離シートの継ぎ部前端縁２４ａと引き出し側剥離シートの継ぎ部後端縁２６ａもほぼ平行となるように、巻き取り側剥離シート２０の継ぎ部前端縁２４ａ近傍の表面に引き出し側剥離シート２２の継ぎ部後端縁２６ａ近傍の裏面が重ねられている。
【００１４】
連結シート１６は、引き出し側剥離シート２２の継ぎ部２６の裏面（巻き取り側剥離シート２０の継ぎ部２４と重なった部分を除く）および巻き取り側剥離シート２０の継ぎ部２４裏面に接着され、引き出し側剥離シート２２と巻き取り側剥離シート２０とを連結している。
この実施の形態においては、連結シート１６は、支持体１６ａの裏面に形成された粘着剤層１６ｂによって、引き出し側剥離シート２２の継ぎ部２６における裏面（重ね合わされた巻き取り側剥離シートの継ぎ部前端縁２４ａより前方の裏面）および巻き取り側剥離シートの継ぎ部前端縁２４ａより後方の裏面に、接着されている。
【００１５】
前記引き出し側剥離シート２２の継ぎ部２６と巻き取り側剥離シート２０の継ぎ部２４に跨って、引き出し側剥離シート２２の剥離処理面１４ａと巻き取り側剥離シート２０の剥離処理面１４ａにラベル１２が仮着されている。このように、剥離シート１４の剥離処理面１４ａには、巻き取り側剥離シート２０の継ぎ部２４および引き出し側剥離シート２２の継ぎ部２６を含めて、巻き取り側剥離シート２０および引き出し側剥離シート２２の前端から後端に亘って、適宜な間隔をおいて、ラベル１２が連続して仮着されている。
特に、巻き取り側剥離シート２０の継ぎ部２４と引き出し側剥離シート２２の継ぎ部２６との重なり合う部分は、例えば、１ないし２ｍｍの幅をもって形成されているので、継ぎ部２４と継ぎ部２６とが重なり合う部分（重層部分）上にあるラベル１２表面に印字する時に、巻き取り側剥離シート２０の継ぎ部２４と引き出し側剥離シート２２の継ぎ部２６との継ぎ目部分における盛り上がりによる印字ムラがほとんどおこることがなく、美麗に印字することができる。
【００１６】
次に、図３〜図７を参照して、ラベル連続体１０の継ぎ方法について、説明する。
まず、支持体１６ａの裏面に粘着剤層１６ｂが形成された連結シート１６を準備する。
一方、ラベル１２（１２ａ）が仮着された巻き取り側剥離シート２０と、ラベル１２（１２ｂ）が仮着された引き出し側剥離シート２２とを準備する。
まず、図３に示すように、巻き取り側剥離シート２０の継ぎ合わせる部分（継ぎ部２４に相当）をラベル１２ａごと両端縁（２８ａおよび２８ｂ）に斜めに交差するように切断し、巻き取り側剥離シートの継ぎ部前端縁２４ａを形成する（切断ステップ）。
切断は、一つのラベル１２ａ上で行い、二つのラベルに跨って切断しないようにすることが好ましい。また、斜めに交差するように切断する必要はないが、直交するように切断するよりも、斜めに交差するように切断する方が作業をしやすい。
そして、巻き取り側剥離シート２０の継ぎ合わせる領域である、巻き取り側剥離シート２０の継ぎ部２４の裏面（剥離処理面１４ａとは反対側の面）において、前記切断して形成された巻き取り側剥離シートの継ぎ部前端縁２４ａにほぼ平行に、連結シート１６の略半分（連結シート１６の幅方向における一方側）をその粘着剤層１６ｂにより接着する（連結ステップ）。
【００１７】
次に、図４および図５に示すように、継ぎ合わせる引き出し側剥離シート２２の両端縁（右端縁３０ａおよび左端縁３０ｂ）と巻き取り側剥離シート２０の両端縁（右端縁２８ａおよび左端縁２８ｂ）とをそろえ、且つ、引き出し側剥離シート２２の継ぎ部２６を含む部分に仮着されているラベル１２ｂと、巻き取り側剥離シート２０の継ぎ部２４を含む部分に仮着されている引き出し側の一部が切り取られたラベル１２ａとが重ね合わされるように重合し、引き出し側剥離シート２２の継ぎ合わせる部分（継ぎ部２６に相当）の裏面（剥離処理面１４ａとは反対側の面）が、前記巻き取り側剥離シート２０が接着された連結シート１６の残り略半分（連結シート１６の幅方向における他方側）にその粘着剤層１６ｂにより接着される（重合・連結ステップ）。
【００１８】
図６に示すように、引き出し側剥離シート２２の両端縁（右端縁３０ａおよび左端縁３０ｂ）と巻き取り側剥離シート２０の両端縁（右端縁２８ａおよび左端縁２８ｂ）とに斜めに交差し、且つ前記巻き取り側剥離シート２０の継ぎ合わせる継ぎ部２４の前端縁２４ａより後方の位置（例えば、１ないし２ｍｍ後方）において該前端縁２４ａに沿ってほぼ平行に、引き出し側剥離シート２２の継ぎ合わせる部分より後方（巻き取り側）の不要部をラベル１２ｂごとはさみ等の切断具によって切断し、前記巻き取り側剥離シートの継ぎ部前端縁２４ａとほぼ平行に引き出し側剥離シートの継ぎ部後端縁２６ａを形成する（切断ステップ）。
【００１９】
上記のように切断・重合・連結することによって、巻き取り側剥離シートの継ぎ部前端縁２４ａ近傍の裏面に、その幅方向における一端より他端に亘って連結シート１６の略半分（連結シート１６の幅方向における一方側）の粘着剤層１６ｂ面が重ね接着される上、引き出し側剥離シートの継ぎ部後端縁２６ａ近傍が引き出し側剥離シートの継ぎ部後端縁２６ａからほぼ同一の重ね幅をもって（例えば、約１ないし２ｍｍの幅をもって）、前記巻き取り側剥離シートの継ぎ部前端縁２４ａ近傍に重ねあわされ、且つ、引き出し側剥離シート２２の継ぎ部２６が連結シート１６の残り略半分（連結シート１６の幅方向における他方側）の粘着剤層１６ｂ面に接着される。
このとき、連結シート１６は、引き出し側剥離シート２２の裏面であって下に重ね合わされた巻き取り側剥離シートの継ぎ部前端縁２４ａより前方、および巻き取り側剥離シート２０の裏面であって巻き取り側剥離シートの継ぎ部前端縁２４ａから、巻き取り側剥離シートの継ぎ部前端縁２４ａより後方に亘って接着される。引き出し側剥離シート２２の継ぎ部２６において、巻き取り側剥離シート２０が裏面から重なる部分（巻き取り側剥離シートの継ぎ部前端縁２４ａと引き出し側剥離シートの継ぎ部後端縁２６ａとの間の重層部分）は、連結シート１６によって接着されていない。
【００２０】
そして、巻き取り側剥離シート２０の両端縁（巻き取り側剥離シートの右端縁２８ａおよび巻き取り側剥離シートの左端縁２８ｂ）と引き出し側剥離シート２２の両端縁（引き出し側剥離シートの右端縁３０ａおよび引き出し側剥離シートの左端縁３０ｂ）よりはみ出した連結シート１６の不要部分は、引き出し側剥離シート２２の両端縁および巻き取り側剥離シート２０の両端縁に沿って切断して除去する。
【００２１】
その後、図７に示すように、巻き取り側剥離シート２０の継ぎ部２４と引き出し側剥離シート２２の継ぎ部２６部分に跨って、その剥離処理面１４ａに、新たなラベル１２ｃを仮着させる。このとき、剥離シート１４の他の部位において仮着されたラベル１２間の間隔と同一の間隔をあけるようにして、すなわち、引き出し側の一部が切り落とされた巻き取り側剥離シート２０に仮着されていたラベル１２ａがあった位置で、且つ巻き取り側剥離シート２０と重ね合わされ巻き取り側の一部が切り落とされた引き出し側剥離シート２２に仮着されていたラベル１２ｂがあった位置に、新たなラベル１２ｃを仮着させる。
【００２２】
巻き取り側剥離シート２０の継ぐ部分および引き出し側剥離シート２２の継ぐ部分の切断方法は、図８において示すように、支持体１６ａの裏面に粘着剤層１６ｂが形成された連結シート１６を準備し、一方、ラベル１２が仮着された巻き取り側剥離シート２０とラベル１２が仮着された引き出し側剥離シート２２とを準備した後、継ぎ合わせる引き出し側剥離シート２２の両端縁（右端縁３０ａおよび左端縁３０ｂ）と巻き取り側剥離シート２０の両端縁（右端縁２８ａおよび左端縁２８ｂ）とをそろえ、且つ、引き出し側剥離シート２２の表面に仮着された継ぎ部２６部分のラベル１２と、巻き取り側剥離シート２０の継ぎ部２４部分のラベル１２とを重ね合わされた状態において、引き出し側剥離シート２２の両端縁（右端縁３０ａおよび左端縁３０ｂ）と巻き取り側剥離シート２０の両端縁（右端縁２８ａおよび左端縁２８ｂ）とに斜めに交差するように、巻き取り側剥離シート２０と引き出し側剥離シート２２とをラベル１２ごと、はさみ等の切断具によって切断し、一度に巻き取り側剥離シートの継ぎ部前端縁２４ａと、巻き取り側剥離シートの継ぎ部前端縁２４ａと平行な、引き出し側剥離シートの継ぎ部後端縁２６ａとを形成するようにしてもよい。
【００２３】
そして、巻き取り側剥離シートの継ぎ部前端縁２４ａ近傍の裏面に、連結シート１６の略半分（連結シート１６の幅方向における一方側）をもって粘着剤層１６ｂ面を重ね接着した上に、引き出し側剥離シートの継ぎ部後端縁２６ａから同一の重ね幅をもって（例えば、約１ないし２ｍｍの幅をもって）、引き出し側剥離シートの継ぎ部後端縁２６ａ近傍を前記巻き取り側剥離シートの継ぎ部前端縁２４ａ近傍に重ねあわせ、且つ、引き出し側剥離シート２２の継ぎ部２６を連結シート１６の残り略半分（連結シート１６の幅方向における他方側）の粘着剤層１６ｂ面に接着する。
このとき、連結シート１６は、引き出し側剥離シート２２の裏面であって重ね合わされた巻き取り側剥離シートの継ぎ部前端縁２４ａより前方および巻き取り側剥離シート２０の裏面であって巻き取り側剥離シートの継ぎ部前端縁２４ａより後方に接着される。
この例の場合、剥離シートの継ぎ目部分に仮着されるラベル１２とその前後のラベル１２との間隔は、１ないし２ｍｍ程度狭くなることがあるが、この程度の間隔の変動に許容度をもつラベル貼付機等に装着されるラベル連続体に、この例は適用するのが望ましい。
【００２４】
この発明は、前記の実施の形態に限らず、種々変更することができる。例えば、巻き取り側剥離シートの継ぎ部前端縁２４ａと引き出し側剥離シートの継ぎ部後端縁２６ａとがそれぞれの剥離シートの両端縁と直交するように形成してもよく、また、図９において示すように、引き出し側剥離シート２２の継ぎ部２６の形状を、中央が巻き取り側剥離シート２０側に膨出した円弧状にしてもよい。
また、前記の実施の形態では、連結シート１６は、該連結シート１６の幅方向の両端縁が、継ぎ部前端縁２４ａおよび継ぎ部後端縁２６ａとほぼ平行に形成されていたが、例えば、広めの幅の連結シートを用いて、連結シート１６の幅方向の両端縁が巻き取り側剥離シート２０の両端縁（右端縁２８ａと左端縁２８ｂ）および引き出し側剥離シート２２の両端縁（右端縁３０ａと左端縁３０ｂ）にほぼ直交するように形成する等、別の形態でもよい。
また、剥離シートやラベルの形状を変形してもよい。
【図面の簡単な説明】
【図１】  この発明の一実施の形態であるラベル連続体の斜視図解図である。
【図２】  図１図示ラベル連続体の剥離シートの一部を断面とした図解図である。
【図３】  ラベル連続体の継ぎ方法を示す斜視図解図である。
【図４】  ラベル連続体の継ぎ方法を示す斜視図解図である。
【図５】  ラベル連続体の継ぎ方法を示す斜視図解図である。
【図６】  ラベル連続体の継ぎ方法を示す斜視図解図である。
【図７】  ラベル連続体の継ぎ方法を示す斜視図解図である。
【図８】  ラベル連続体の別の継ぎ方法を示す斜視図解図である。
【図９】  ラベル連続体のさらに別の継ぎ構造を示す平面図解図である。
【図１０】  従来のラベル連続体の継ぎ構造を示す平面図解図である。
【図１１】  従来のラベル連続体の継ぎ構造を示す断面図解図である。
【符号の説明】
１  剥離シート
３  剥離シート
５  粘着テープ
１０  ラベル連続体
１２，１２ａ，１２ｂ，１２ｃ  ラベル
１４  剥離シート
１４ａ  剥離処理面
１６  連結シート
１６ａ  支持体
１６ｂ  粘着剤層
１８  巻心
２０  巻き取り側剥離シート
２２  引き出し側剥離シート
２４  巻き取り側剥離シートの継ぎ部
２４ａ  （巻き取り側剥離シートの）継ぎ部前端縁
２６  引き出し側剥離シートの継ぎ部
２６ａ  （引き出し側剥離シートの）継ぎ部後端縁
２８ａ  巻き取り側剥離シートの右端縁
２８ｂ  巻き取り側剥離シートの左端縁
３０ａ  引き出し側剥離シートの右端縁
３０ｂ  引き出し側剥離シートの左端縁
【図１】
0003671181.tif 000002
【図２】
0003671181.tif 000003
【図３】
0003671181.tif 000004
【図４】
0003671181.tif 000005
【図５】
0003671181.tif 000006
【図６】
0003671181.tif 000007
【図７】
0003671181.tif 000008
【図８】
0003671181.tif 000009
【図９】
0003671181.tif 000010
【図１０】
0003671181.tif 000011
【図１１】
0003671181.tif 000012